(57)【要約】  携帯電話用スタンドであって、携帯電話または電話ケーシングの後部に取り外し可能に取り付けられるように構成されたプレートと、第１の端部および第２の端部を有する支持パネルであって、前記第１の端部は、第１の軸の周りで前記プレートの下側縁と枢動可能に係合するように構成され、前記第２の端部は、前記スタンドが前記携帯電話に取り付けられたときに前記スタンドおよび前記携帯電話がその上に置かれる表面上に載置するように構成される、支持パネルと、枢動端部および係合端部を有する調整脚部であって、前記枢動端部は、第２の軸の周りで前記プレートの上側縁と枢動可能に係合するように構成され、前記係合端部は、前記支持パネルの長さに沿って設けられた複数の係合場所の１つにおいて前記支持パネルと解放可能にかつ選択可能に係合するように構成される、調製脚部とを備える、携帯電話用スタンド。【選択図】図１
2017535216.tif 000002
【特許請求の範囲】
【請求項１】
携帯電話用スタンドであって、
携帯電話または電話ケーシングの後部に取り外し可能に取り付けられるように構成されたプレートと、
第１の端部および第２の端部を有する支持パネルであって、前記第１の端部は、第１の軸の周りで前記プレートの下側縁と枢動可能に係合するように構成され、前記第２の端部は、前記スタンドが前記携帯電話に取り付けられたときに前記スタンドおよび前記携帯電話がその上に置かれる表面上に載置するように構成される、支持パネルと、
枢動端部および係合端部を有する調整脚部であって、前記枢動端部は、第２の軸の周りで前記プレートの上側縁と枢動可能に係合するように構成され、前記係合端部は、前記支持パネルの長さに沿って設けられた複数の係合場所の１つにおいて前記支持パネルと解放可能にかつ選択可能に係合するように構成される、調製脚部とを備える、携帯電話用スタンド。
【請求項２】
前記プレート、前記支持パネル、および前記調整脚部は、前記スタンドが一体構造のものになるように互いに一体的に形成されることを特徴とする請求項１に記載のスタンド。
【請求項３】
前記第１の端部は、一体丁番を介して前記プレートの下側縁と枢動可能に係合し、前記枢動端部は、一体丁番を介して前記プレートの上側縁と枢動可能に係合することを特徴とする請求項２に記載のスタンド。
【請求項４】
前記複数の係合場所は、前記支持パネル上に設けられた複数のスロットを備えることを特徴とする請求項１〜３の何れかに記載のスタンド。
【請求項５】
前記係合端部は、前記複数のスロットの各々と解放可能に係合するように構成された係止タブを備えることを特徴とする請求項４に記載のスタンド。
【請求項６】
前記係合端部は、前記係止タブがその上に設けられたフラップを備え、前記フラップは、前記第１の軸に対して平行である第３の軸の周りで前記係合端部において一体丁番を介して枢動可能になるように構成されることを特徴とする請求項５に記載のスタンド。
【請求項７】
前記プレート、前記調整脚部、および前記支持パネルは、前記スタンドが前記携帯電話に取り付けられ、格納位置にあるとき、前記携帯電話の後部に対して平行に位置するように構成されることを特徴とする請求項１〜６の何れかに記載のスタンド。
【請求項８】
少なくとも１つの固定タブは、前記調整脚部上に設けられ、前記支持パネル上に設けられた対応する少なくとも１つの固定スロットと係合して前記スタンドを前記格納位置に保つことを特徴とする請求項７に記載のスタンド。
【請求項９】
前記少なくとも１つの固定タブおよび前記少なくとも１つの固定スロットは、前記第１の軸に直交して設けられることを特徴とする請求項８に記載のスタンド。
【発明の詳細な説明】
【技術分野】
【０００１】
本発明は、携帯電話を表面上にある傾斜角度で立てかけた状態に保つための携帯電話用スタンドに関する。
【背景技術】
【０００２】
ユーザが、使用中、携帯電話を手で保持することから解放されるように、携帯電話を表面上にある傾斜角度で立てかけた状態に保つことがしばしば望ましい。既存のスタンド設計は、それ独自の欠点を有しており、携帯電話のユーザが好む傾斜角度にしたがって設定することが容易であり、携帯電話のスクリーンまたはボタンが頻繁に触れられるときに携帯電話を安定的に保ち、置き忘れることなくコンパクトに格納することができるスタンドを提供する必要がある。
【発明の概要】
【課題を解決するための手段】
【０００３】
例示的な態様によれば、携帯電話用スタンドであって、携帯電話または電話ケーシングの後部に取り外し可能に取り付けられるように構成されたプレートと、第１の端部および第２の端部を有する支持パネルであって、第１の端部は、第１の軸の周りでプレートの下側縁と枢動可能に係合するように構成され、第２の端部は、スタンドが携帯電話に取り付けられたときにスタンドおよび携帯電話がその上に置かれる表面上に載置するように構成される、支持パネルと、枢動端部および係合端部を有する調整脚部であって、枢動端部は、第２の軸の周りでプレートの上側縁と枢動可能に係合するように構成され、係合端部は、支持パネルの長さに沿って設けられた複数の係合場所の１つにおいて支持パネルと解放可能にかつ選択可能に係合するように構成される、調製脚部とを備える、携帯電話用スタンドが提供される。
【０００４】
プレート、支持パネル、および調整脚部は、スタンドが一体構造のものになるように互いに一体的に形成され得る。
【０００５】
第１の端部は、一体丁番を介してプレートの下側縁と枢動可能に係合することができ、枢動端部は、一体丁番を介してプレートの上側縁と枢動可能に係合することができる。
【０００６】
複数の係合場所は、支持パネル上に設けられた複数のスロットを備えることができる。
【０００７】
係合端部は、複数のスロットの各々と解放可能に係合するように構成された係止タブを備える。
【０００８】
係合端部は、係止タブがその上に設けられたフラップを備えることができ、フラップは、第１の軸に対して平行である第３の軸の周りで係合端部において一体丁番を介して枢動可能になるように構成される。
【０００９】
プレート、調整脚部、および支持パネルは、スタンドが携帯電話に取り付けられ、格納位置にあるとき、携帯電話の後部に対して平行に位置するように構成され得る。
【００１０】
少なくとも１つの固定タブは、調整脚部上に設けられて、支持パネル上に設けられた対応する少なくとも１つの固定スロットと係合してスタンドを格納位置に保つことができる。
【００１１】
少なくとも１つの固定タブおよび少なくとも１つの固定スロットは、第１の軸に直交して設けられ得る。
【００１２】
本発明が十分に理解され、容易に実践的に実行することができるように、次に、非限定的な例によって、本発明の例示的にすぎない実施形態が説明されるものとし、その説明は、添付の実例図を参照する。
【図面の簡単な説明】
【００１３】
【図１】本発明による動作位置にある携帯電話用スタンドの例示的な実施形態の斜視図である。
【図２】図１のスタンドの側面図である。
【図３】動作位置から解放されたときのスタンドの側面図である。
【図４】部分的格納位置にあるときのスタンドの側面図である。
【図５】格納位置にあるスタンドの側面図である。
【図６】格納位置にあるスタンドの平面図である。
【発明を実施するための形態】
【００１４】
スタンド１０の例示的な実施形態が、図１から６を参照して説明され、図中、同じ参照番号が、等価の部分を指すために使用される。
【００１５】
スタンド１０は、携帯電話１００の後部２００における取り付け領域２３０に取り外し可能に取り付けられるように構成されたプレート２０を備える。取り付け領域２３０は、好ましくは、携帯電話１００の後部２００の中央部分にある。スタンド１０が携帯電話に取り付けられたとき、スタンド１０の動作位置では、携帯電話１００の底縁１２０は、スタンド１０および携帯電話１００がその上に置かれる表面９０上に載置する。
【００１６】
スタンド１０は、さらに、第１の軸Ｘ１の周りでプレート２０の下側縁２１と枢動可能に係合するように構成される第１の端部４０−１を有する支持パネル４０を備える。第１の軸Ｘ１は、好ましくは、スタンド１０が携帯電話１００に取り付けられたときにスタンド１０がその上に置かれる表面９０に対して平行である。例示的な実施形態では、図２に見られ得るように、支持パネル４０の第１の端部４０−１は、第１の軸Ｘ１の周りで枢動する一体丁番４９を介してプレート２０の下側縁２２に連結され、それにより、支持パネル４０は、好ましくは、プレート２０と一体的に形成される。
【００１７】
支持パネル４０の第２の端部４０−２は、スタンド１０がその上に置かれる表面９０上に載置するように構成される。図は、略矩形形状を有するように支持パネル４０を示しているが、支持パネル４０は、任意の他の所望のまたは適切な形状を含むことができ、たとえば、支持パネル４０の第２の端部４０−２は、スタンド１０の動作位置において使用するときにスタンド１０により大きい安定性を与えるために、支持パネル４０の第１の端部４０−１より広くなるように構成されてよい。
【００１８】
スタンド１０は、さらに、第２の軸Ｘ２の周りでプレート２０の上側縁２２と枢動可能に係合するように構成される枢動端部５０−１を有する調整脚部５０を備える。第２の軸Ｘ２は、スタンド１０が携帯電話１００に取り付けられ、携帯電話１００が直立位置にあるとき、第１の軸Ｘ１の上方に、これに対して平行に、かつこれから離間して位置する。例示的な実施形態では、図２に見られ得るように、調整脚部５０の枢動端部５０−１は、第２の軸Ｘ２の周りで枢動する一体丁番５９を介してプレート２０の上側縁２１に連結され、それにより、調整脚部５０は、好ましくは、プレート２０に一体的に形成される。
【００１９】
調整脚部５０の係合端部５０−２は、支持パネル４０の長さに沿って設けられた複数の係合場所４２の１つにおいて支持パネル４０と解放可能かつ選択可能に係合するように構成される。複数の係合場所４２は、スタンド１０が携帯電話１００に取り付けられたとき、係合端部５０−２と、支持パネル４０の第１の端部４０−１により近くの複数の係合場所の１つとの係合は、携帯電話１００の上縁１３０を、携帯電話１００およびスタンド１０がその上に載置する表面９０に対して持ち上げ、その一方で支持パネル４０の自由端部４０−２により近い複数の係合場所の１つにおける係合端部５０−２の係合は、携帯電話１００の上縁１３０を表面９０に対して低くするように構成される。
【００２０】
したがって、スタンド１０が動作位置にあるときに調整脚部５０の係合端部５０−２が係合される支持パネル４０上に設けられた複数の係合場所４２の１つを選択することにより、ユーザは、それにしたがって、携帯電話１００の底縁１２０および支持パネル４０の自由端部４０−２をその上に載置させる表面９０に対する、携帯電話１００の傾斜角度を選択する。
【００２１】
図１および２に示されるような好ましい実施形態では、複数の係合場所４２は、支持パネル４０上に設けられた複数のスロット４２を備える。複数のスロット４２は、互いから離間されて置かれ、好ましくは第１の軸Ｘ１に対して平行に置かれる。好ましい実施形態では、複数のスロット４２は、支持パネル４０内に貫通穴を備えるが、代替の実施形態では、複数のスロット４２は、支持パネル４０内にめくら穴を備えてよい。調整脚部５０の係合端部５０−２は、複数のスロット４２の各々と解放可能に係合するように構成された係止タブ５２を備える。係止タブ５２が複数のスロット４２の１つと係合状態にあるとき、スタンド１０は動作位置にあり、この動作位置は、支持パネル４０の第２の端部４０−２および携帯電話１００の底縁１２０が、表面９０上に載置させられたとき、携帯電話１００を表面９０に対してある傾斜角度で立てかけるようにする。
【００２２】
係合端部５０−２は、好ましくは、係止タブ５２の、複数のスロット４２のいずれか１つのものとの容易な係合および解放を可能にするために、係止タブ５２がその上に設けられたフラップ５６を備える。フラップ５６は、第１および第２の軸Ｘ１、Ｘ２に対して平行である第３の軸Ｘ３の周りで枢動可能である。好ましくは、フラップ５６は、係合端部５０−２に設けられた一体丁番５８を介して枢動可能になるように構成され、それにより、フラップ５６は、調整脚部５０と一体的に形成される。
【００２３】
図５および６に示されるようにスタンド１０を格納位置に構成するために、係合端部５０−２は、図３に示されるように支持パネル４０との係合から解放され、調整脚部５０は、図４に示されるように、プレート２０と共線状になるよう携帯電話１００の後部２００に対して平らに位置するようにもっていかれる。支持パネル４０が、図５に示されるように、プレート２０および調整脚部４０に対して平らに位置するようにもっていかれたとき、スタンド１０は、携帯電話１００の後部２００に対して平行である格納位置にあり、それによってスタンド１０によって占有される空間を最小限に抑える。
【００２４】
スタンド１０を格納位置に保つために、固定タブ５４の対が、調整脚部５０上に設けられ、一方で固定スロット４４の対が、支持パネル４０上に設けられる。固定タブ５４各々は、図６に示されるように、固定スロット４４の対応する各々内に嵌合して、スタンド１０が格納位置にあるときに調整脚部５０を支持パネル４０に固定するように構成される。固定スロット４４は、好ましくは、支持パネル４０内の複数のスロット４２の各側に１つ設けられる。固定タブ５４および固定スロット４４は、好ましくは、第１の軸Ｘ１に直交して設けられ、それによって固定タブ５４と固定スロット４４の容易な係合および係合解除を可能にする。
【００２５】
スタンド１０を置き忘れることを回避するために、スタンド１０は、格納位置および動作位置の両方において携帯電話１００に取り付けられたままになるように構成される。スタンド１０を携帯電話１００に取り付けた状態に保つために、再利用可能なゲルスティッカー３０が使用され得る。あるいは、両面テープまたは糊などの任意の他の取り外し可能な取り付け手段が、使用されてよい。
【００２６】
一体丁番４９、５９、５８を設けてスタンド１０のさまざまな構成要素２０、４０、５０が格納位置または動作位置の間で構成可能になることを可能にしながら、スタンド１０が一体構造のものになるように一体的に形成されるようにスタンド１０を構成することにより、携帯電話１００をユーザの好みにしたがっていくつかの異なる利用可能な動作位置に立てかけることを可能にする、低コスト、コンパクト、および丈夫なスタンド１０が、こうして提供される。特記すべきことに、選択に利用できる動作位置の数は、支持パネル４０上に設けられた係合場所４２の数に対応する。
【００２７】
本発明の例示的な実施形態が前述の説明において説明されてきたが、設計、構造および／または作動の詳細において数多くの変形形態が、本発明から逸脱することなく加えられてよいことが、関係する技術の当業者によって理解されるであろう。たとえば、調整脚部の係合端部は、好ましくは係止タブがその上に設けられるフラップを備えるものとして説明されてきたが、代替の実施形態では、調整脚部の係合脚部の自由縁において係止タブを依然として設けながらも、フラップは省略されてよい。固定タブの対および固定スロットの対は、スタンドを格納位置に保つために設けられるものとして上記で説明されてきたが、代替の実施形態では、他の数の固定スロットおよび固定タブが、設けられてよい。スタンドは、携帯電話の後部に取り付けられることが上記で説明されてきたが、スタンドは、代替的に、携帯電話が通常収容される電話ケーシングの後部に取り付けられてよいことが理解されるであろう。プレート、支持パネル、および調整脚部は、矩形形状であるとして図に示されたが、プレート、支持パネルおよび調整脚部は、これらを上記で説明されたように格納位置および動作位置にすることを依然として可能にする、任意の他の考えられる形状を有することができる。 
【図１】
2017535216.tif 000003
【図２】
2017535216.tif 000004
【図３】
2017535216.tif 000005
【図４】
2017535216.tif 000006
【図５】
2017535216.tif 000007
【図６】
2017535216.tif 000008
【国際調査報告】
2017535216.tif 000009